(57)【特許請求の範囲】
【請求項１】
被加熱容器である炊飯釜を加熱して炊飯を行う加熱調理装置であって、
水平状に配設された複数の直線長手状のカーボンヒータにて構成され、前記炊飯釜の底板部の下方に位置する加熱手段と、
この加熱手段の下方に位置し、前記炊飯釜の底板部の全体が均一に加熱されるように前記カーボンヒータからの赤外線を前記炊飯釜の底板部に向けて反射する反射体と、
前記炊飯釜の側板部と対向して位置し、前記カーボンヒータからの赤外線を前記炊飯釜の側板部に向けて反射する反射面とを備え、
前記反射体は、前記カーボンヒータの長手方向中央部の下方に配設され、平面視で前記カーボンヒータと直交するように位置する長手状で上方に向かって凸状の山型部を有し、
前記山型部は、
前記炊飯釜の底板部のうち前記カーボンヒータの長手方向一端側の上方に位置する部分に向けて、前記カーボンヒータの長手方向中央部から下方へ放射された赤外線を反射する一方側傾斜面と、
前記炊飯釜の底板部のうち前記カーボンヒータの長手方向他端側の上方に位置する部分に向けて、前記カーボンヒータの長手方向中央部から下方へ放射された赤外線を反射する他方側傾斜面とを有し、
前記カーボンヒータは、
直線状のガラス管部と、
このガラス管部内に収納され、水平状に位置して赤外線を上方および下方に向けて放射する細長板状のカーボン繊維部とを有する
ことを特徴とする加熱調理装置。
【請求項２】
反射体は、炊飯釜から出た汁を受ける汁受け皿を兼ねた反射部材を有する
ことを特徴とする請求項１記載の加熱調理装置。
【発明の詳細な説明】
【技術分野】
【０００１】
本発明は、カーボンヒータを用いた加熱調理装置に関するものである。
【背景技術】
【０００２】
従来、カーボンヒータに用いた加熱調理装置として、例えば特許文献１に記載されたピザ焼き器が知られている。
【０００３】
このピザ焼き器は、ピザ焼き用空間を有し開口部に開閉扉が設けられているケーシングと、ピザ焼き用空間内に収納され開口部よりスライドにて引き出し入れ可能に配設され高熱伝導性金属薄板上にセラミックスコーティングがなされたピザ焼き用加熱棚と、ピザ焼き用加熱棚の上下に配設された棒状のカーボンヒータと、ピザ焼き用加熱棚上方のカーボンヒータの上に配設されピザ焼き用加熱棚に向かって凹湾曲し反射放射熱をピザ焼き用加熱棚側中央部分に集光する反射板とにて構成されている。
【先行技術文献】
【特許文献】
【０００４】
【特許文献１】特開２０１０−８４９５５号公報
【発明の概要】
【発明が解決しようとする課題】
【０００５】
しかしながら、上記従来の加熱調理装置は、熱を集中させて加熱するピザ店舗での利用に最適なピザ焼き器であり、例えば炊飯釜等の被加熱容器を加熱して加熱調理する際には利用できない。そして、近年、被加熱容器を適切に加熱でき、効率的に加熱調理できる加熱調理装置が求められていた。
【０００６】
本発明は、このような点に鑑みなされたもので、効率的に加熱調理できる加熱調理装置を提供することを目的とする。
【課題を解決するための手段】
【０００７】
請求項１記載の加熱調理装置は、被加熱容器である炊飯釜を加熱して炊飯を行う加熱調理装置であって、水平状に配設された複数の直線長手状のカーボンヒータにて構成され、前記炊飯釜の底板部の下方に位置する加熱手段と、この加熱手段の下方に位置し、前記炊飯釜の底板部の全体が均一に加熱されるように前記カーボンヒータからの赤外線を前記炊飯釜の底板部に向けて反射する反射体と、前記炊飯釜の側板部と対向して位置し、前記カーボンヒータからの赤外線を前記炊飯釜の側板部に向けて反射する反射面とを備え、前記反射体は、前記カーボンヒータの長手方向中央部の下方に配設され、平面視で前記カーボンヒータと直交するように位置する長手状で上方に向かって凸状の山型部を有し、前記山型部は、前記炊飯釜の底板部のうち前記カーボンヒータの長手方向一端側の上方に位置する部分に向けて、前記カーボンヒータの長手方向中央部から下方へ放射された赤外線を反射する一方側傾斜面と、前記炊飯釜の底板部のうち前記カーボンヒータの長手方向他端側の上方に位置する部分に向けて、前記カーボンヒータの長手方向中央部から下方へ放射された赤外線を反射する他方側傾斜面とを有し、前記カーボンヒータは、直線状のガラス管部と、このガラス管部内に収納され、水平状に位置して赤外線を上方および下方に向けて放射する細長板状のカーボン繊維部とを有するものである。
【０００８】
請求項２記載の加熱調理装置は、請求項１記載の加熱調理装置において、反射体は、炊飯釜から出た汁を受ける汁受け皿を兼ねた反射部材を有するものである。
【発明の効果】
【０００９】
本発明によれば、炊飯釜の底板部の全体が均一に加熱されるようにカーボンヒータからの赤外線を炊飯釜の底板部に向けて反射する反射体を備えるため、炊飯釜を適切に加熱でき、効率的に加熱調理できる。
【図面の簡単な説明】
【００１０】
【図１】本発明の一実施の形態に係る加熱調理装置のＩ−Ｉ断面図である。
【図２】同上加熱調理装置のII−II断面図である。
【図３】同上加熱調理装置のIII−III断面図である。
【図４】同上加熱調理装置の反射部材（汁受け皿）の斜視図である。
【図５】同上加熱調理装置のカーボンヒータの側面図である。
【図６】同上カーボンヒータの断面図である。
【図７】炊飯釜の底板部の温度を示すグラフである。
【発明を実施するための形態】
【００１１】
本発明の一実施の形態について図面を参照して説明する。
【００１２】
図１ないし図３において、１は加熱調理装置で、この加熱調理装置１は、例えば加熱調理である炊飯を行うバッチ式の炊飯装置である。つまり、加熱調理装置１は、加熱室３に出し入れ可能に入れられた被加熱容器である業務用の炊飯釜２を加熱して炊飯を行うものである。
【００１３】
炊飯釜２は、図１および図２に示されるように、例えばアルミニウム鋼板によって上面開口部（図示せず）を有する外形略直方体状で箱形状に形成されたものであり、その上面開口部は釜蓋（図示せず）にて開閉可能に閉鎖されている。つまり、炊飯釜２は、炊飯時には、内部に洗米（食材）および水等が投入されかつ上面開口部が釜蓋にて閉鎖された状態で、加熱室３に入れられる。
【００１４】
炊飯釜２は、平面視で左右方向（加熱室３に対する出し入れ方向に対して直交する方向）に長手方向を有する矩形状をなす平面状の底板部５と、この底板部５の外周端部に曲面状の湾曲板部６を介して立設された鉛直状（鉛直方向に対して外側方にやや傾斜した傾斜状を含む）の４つの側板部７と、これら４つの側板部７の上端部に外側方に向かって突設された鍔部８とを有している。また、底板部５、湾曲板部６および側板部７の各外面には、赤外線を吸収しやすいように黒色塗装が施されている。なお、赤外線を吸収しやすくするために、底板部５、湾曲板部６および側板部７の各外面を黒色酸化皮膜で覆うようにしてもよい。
【００１５】
加熱調理装置１は、図１ないし図３に示されるように、前面開口部４を介して前方に向かって開口する１つの加熱室３を内部に有する箱形状の装置本体11と、この装置本体11に左右方向の軸13を中心として上下方向に回動可能に設けられ前面開口部４を開閉する扉体12とを備えている。
【００１６】
装置本体11は、左右方向長手状でかつ矩形状の底板部15を有し、この底板部15の左右方向両端部には側板部16が立設されている。左右の両側板部16の上端部相互が上板部17にて連結され、左右の両側板部16の後端部相互が後板部18にて連結されている。
【００１７】
また、左右の両側板部16の前側下部相互が連結部19にて連結され、この連結部19には複数（例えば６つ）のヒータ被取付部であるヒータ被取付前側孔部21が形成されている。後板部18のうち連結部19と対向する部分には、ヒータ被取付前側孔部21と対応する複数（例えば６つ）のヒータ被取付部であるヒータ被取付後側孔部22が形成されている。連結部19の左右方向両端部には、釜搬送用のローラ体23が回転可能に取り付けられている。
【００１８】
さらに、後板部18の上端部には、加熱室３に連通する左右方向長手状の排気口部26が後板部18の内外面（前後面）に貫通して形成されている。加熱室３の上部には、排気用孔部27が中央部に形成された板部材28が配設されており、加熱室３のうち板部材28と上板部17との間に位置する部分が排気用空間部29となっている。そして、炊飯時に炊飯釜２から発生した水蒸気等の排気は、排気用孔部27、排気用空間部29および排気口部26を順次流れて外部へ排出される。
【００１９】
また、後板部18の内面上部には、後板部18の内面と面した炊飯釜２の鍔部８と近接した状態で、炊飯釜２から吹きこぼれた汁を受ける左右方向長手状の断面略コ字状の汁受け部材31が脱着可能に取り付けられている。汁受け部材31の左右両側の２箇所には、炊飯釜２の鍔部８が当接する板状の被当接部材32が固設されている。
【００２０】
さらに、各側板部16の内面上部には、各側板部16の内面と面した炊飯釜２の側板部７の上部付近と近接した状態で、炊飯釜２から吹きこぼれた汁を受ける前後方向長手状の断面略コ字状の汁受け部材33が脱着可能に取り付けられている。各側板部16の内面上部の複数箇所（例えば５箇所）には、釜搬送用のローラ体34が回転可能に取り付けられている。各ローラ体34は、側板部16の内面から突出する左右方向の支軸部35と、この支軸部35にて回転可能に支持され汁受け部材33の上方に位置する円板状のローラ本体部36とにて構成されている。そして、炊飯時には加熱室３内の炊飯釜２の鍔部８が左右両側のローラ体34のローラ本体部36にて支持される。
【００２１】
また、扉体12は、装置本体11の側板部16の前端部の下部に軸13を中心として上下方向に回動可能に取り付けられた扉本体部37と、この扉本体部37の外面に突設された取手部38とを有している。扉本体部37の内面の左右方向両端部には、釜搬送用のローラ体39が回転可能に取り付けられている。
【００２２】
そして、扉体12は、鉛直姿勢の閉状態となって装置本体11の前面開口部４を閉鎖し、水平姿勢の開状態となって装置本体11の前面開口部４を開口させる。この扉体12の開状態時には、扉本体部37から上方に突出するローラ体39と連結部19から上方に突出するローラ体23とが同一面上に位置する。そして、同一面上に位置するローラ体23，39上に底板部５が載置された状態で、炊飯釜２がローラ体23，39にて出し入れ方向に沿って搬送される。また、加熱室３内では、同一面上に位置するローラ体34上に鍔部８が載置された状態で、炊飯釜２がローラ体34にて出し入れ方向に沿って搬送される。なお、扉本体部37の内面の上端部は、扉体12の閉状態時に炊飯釜２の鍔部８が当接する被当接部40となっている。
【００２３】
また、加熱調理装置１は、加熱室３に入れられた炊飯釜２の底板部５の下方に位置する加熱手段41を備えている。つまり、加熱室３の下部には、炊飯釜２を加熱する加熱手段41が配設されている。
【００２４】
加熱手段41は、左右方向に等間隔（略等間隔を含む）をおいて並ぶ互いに平行で真直ぐな前後方向長手状である棒状の複数本（例えば６本）の電気ヒータであるカーボンヒータ42にて構成されている。
【００２５】
各カーボンヒータ42は、図５および図６にも示すように、直線状で細長円筒状をなす直管形のガラス管部43と、このガラス管部43内に不活性ガスとともに収納され水平状に位置する細長板状のカーボン繊維部（発熱体）44と、ガラス管部43の長手方向両端部である前後方向両端部に設けられた取付部45とを有している。
【００２６】
そして、前側の取付部45が装置本体11のヒータ被取付前側孔部21に挿入により取り付けられかつ後側の取付部45が装置本体11のヒータ被取付後側孔部22に挿入により取り付けられることにより、カーボンヒータ42が加熱室３の下部に前後方向に沿って水平状に配設されている。
【００２７】
そして、カーボン繊維部44に電流が流れると、図６に示されるように、水平面状のカーボン繊維部44の上面および下面から熱線である赤外線（主として中赤外線および遠赤外線）が上方および下方に向かって多く放射される。つまり、帯状のカーボン繊維部44は、面方向に多くの赤外線を放射する。
【００２８】
なお、カーボン繊維部44には、カーボンヒータ42の発熱量や電源のオンオフ等を制御する制御手段（図示せず）がリード線等を介して電気的に接続され、この制御手段に発熱量等を設定するための操作設定手段（図示せず）が電気的に接続されている。
【００２９】
さらに、加熱調理装置１は、加熱室３内において加熱手段41の下方に位置し炊飯時に炊飯釜２の底板部５の全体が均一（略均一を含む）に加熱されるように各カーボンヒータ42からの赤外線を炊飯釜２の底板部５に向けて反射する金属製の反射体51を備えている。つまり、加熱室３の下部には、主としてカーボンヒータ42から下方へ放射された赤外線を上方に向けて反射する反射体51がカーボンヒータ42の下方に位置するように配設されている。
【００３０】
反射体51は、例えば左右１対の反射部材52と、これら両反射部材52間に位置するセンサ支持部材53と、反射部材52の左右方向両端部を支持する対をなすガイドレール部材61，62とを有している。なお、これら各部材52，53，61，62は、カーボンヒータ42からの赤外線を反射する金属材料（アルミニウムやステンレス等）によって形成されている。
【００３１】
センサ支持部材53は、前後方向長手状のもので、装置本体11の連結部19と後板部18の下部との間に架設され、加熱室３の下部における左右方向中央部に配設されている。そして、センサ支持部材53には、炊飯釜２の底板部５と接触してこの底板部５の温度を検知する温度センサ54が取り付けられており、この温度センサ54は制御手段に電気的に接続されている。
【００３２】
温度センサ54は、センサ支持部材53に固設された本体部55と、この本体部55に昇降可能に設けられ扉体12の回動に連動して昇降する接触部56とを有している。
【００３３】
センサ支持部材53は、図２等に示されるように、互いに離間対向する鉛直状の左右１対の対向板部57を有し、これら両対向板部57の上端部相互が水平状の連結板部58にて連結され、この連結板部58から温度センサ54が上方に向かって突出している。各対向板部57の外側面には、前後方向長手状で断面略コ字状のガイドレール部材61が固設されている。また、各側板部16の下部内面には、そのガイドレール部材61と離間対向する前後方向長手状で断面略コ字状のガイドレール部材62が固設されている。そして、反射部材52は、両ガイドレール部材61，62にて案内されながら前後方向にスライド移動する。つまり、反射部材52は、両ガイドレール部材61，62に沿って加熱室３の下部に対して出し入れ可能となっている。
【００３４】
左右１対の反射部材52は、互いに左右対称であるため、左側の反射部材52を中心にその構成を説明する。
【００３５】
反射部材52は、図４にも示すように、炊飯釜２から吹きこぼれた汁を受ける汁受け皿を兼ねたもので、前端部の手掛部71と、汁受け皿として機能する皿状の反射部（皿状部）72とにて構成されている。
【００３６】
反射部72は、前後方向長手状で平面視矩形状の底板部73を有し、この底板部73の一側端部である右端部から上向き鉛直板部74が鉛直上方に向かって突出している。底板部73の他側端部である左端部から傾斜板部75が左斜め上方に向かって突出し、この傾斜板部75の左端部から下向き鉛直板部76が鉛直下方に向かって突出している。底板部73の後端部から鉛直板部77が鉛直上方に向かって突出している。
【００３７】
なお、上向き鉛直板部74の下端部がガイドレール部材61のガイド面61a上をスライド移動し、下向き鉛直板部76の下端部がガイドレール部材62のガイド面62a上をスライド移動する（図２参照）。また、傾斜板部75は炊飯釜２の湾曲板部６と離間対向し、この傾斜板部75にて反射された赤外線が湾曲板部６に当たるようになっている。傾斜板部75は、汁受け部材33の下方に配設されている。つまり、左右両側の傾斜板部75は、加熱室３の下部における左右方向端部にそれぞれ配設され、加熱室３の左右方向中央側に向かって徐々に下り傾斜している。
【００３８】
また、底板部73の前後方向中央部には、平面視で複数本のカーボンヒータ42と直交するように位置する左右方向長手状で断面逆Ｖ字状の山型部80が折り曲げにより一体に形成されている。つまり、底板部73は、水平状に位置する前後２つの平坦部78，79と、これら両平坦部78，79間に位置する上方に向かって凸状の山型部80とにて構成されている。
【００３９】
なお、カーボンヒータ42の長手方向中央部の下方に山型部80が配設され、この山型部80の長手方向と複数本のカーボンヒータ42の長手方向とが平面視で互いに直交している。山型部80の頂辺80aは、水平辺である。
【００４０】
そして、山型部80は、主として炊飯釜２の底板部５のうちカーボンヒータ42の長手方向一端側である前端側の上方に位置する部分に向けてカーボンヒータ42から下方へ放射された赤外線を前斜め上方に向けて反射する一方側傾斜面81と、主として炊飯釜２の底板部５のうちカーボンヒータ42の長手方向他端側である後端側の上方に位置する部分に向けてカーボンヒータ42から下方へ放射された赤外線を後斜め上方に向けて反射する他方側傾斜面82とを有している。一方側傾斜面81は、前方に向かって徐々に下り傾斜する反射面であり、水平方向に対する傾斜角度は例えば３０度である。他方側傾斜面82は、後方に向かって徐々に下り傾斜する反射面であり、水平方向に対する傾斜角度は例えば一方側傾斜面81と同じ３０度である。なお、平坦部78，79の上面は、主としてカーボンヒータ42から下方へ放射された赤外線を鉛直上方に向けて反射する反射面である。
【００４１】
なお、図３に示されるように、左右の山型部80が平面視で加熱室３の前後方向中央部に位置し、センサ支持部材53が平面視で加熱室３の左右方向中央部に位置している。つまり、平面視で左右の両山型部80間にセンサ支持部材53が位置している。
【００４２】
また、加熱室３に臨む面、つまり装置本体11の内面および扉体12の内面は、例えばアルミニウム塗装が施され、反射体51と同様、カーボンヒータ42からの赤外線を反射する反射面となっている。すなわち、各側板部16の内面は、炊飯釜２の左右両側の側板部７の側方に位置しカーボンヒータ42からの赤外線が各側板部16の内面に向かって放射されてきたときにはその赤外線を左右両側の側板部７に向けて反射する側方反射面91にて構成されている。後板部18の内面は、炊飯釜２の後側の側板部７の後方に位置しカーボンヒータ42からの赤外線が後板部18の内面に向かって放射されてきたときにはその赤外線を炊飯釜２の後側の側板部７に向けて反射する後方反射面92にて構成されている。扉体12の内面は、炊飯釜２の前側の側板部７の前方に位置しカーボンヒータ42からの赤外線が扉体12の内面に向かって放射されてきたときにはその赤外線を炊飯釜２の前側の側板部７に向けて反射する前方反射面93にて構成されている。
【００４３】
次に、加熱調理装置１の作用等を説明する。
【００４４】
加熱調理装置１を使用して炊飯を行う場合、作業者は、洗米および水等を投入して釜蓋をセットした閉蓋状態の炊飯釜２を、ローラ体23，34，39を利用して移動させながら、開口した前面開口部４から加熱室３内に挿入する。
【００４５】
次いで、作業者は、扉体12を軸13を中心として上方に回動させて開状態から閉状態に切り換えることにより、この扉体12にて前面開口部４を閉鎖する。
【００４６】
すると、扉体12の被当接部40が炊飯釜２の鍔部８の前面に当接しかつ装置本体11の被当接部材32が炊飯釜２の鍔部８の後面に当接することにより、炊飯釜２が加熱室３内で所定位置に位置決めされる。このとき、加熱室３のうち鍔部８よりも下方の部分は、加熱室３内の炊飯釜２が鍔部８に当接する前側の扉体12、鍔部８と近接する後側の汁受け部材31および両側板部７の上部付近と近接する左右両側の汁受け部材33によって囲繞されることから、熱気で包まれるように、熱気が充満可能な略密閉した密閉空間となる。
【００４７】
そして、作業者が操作設定手段の炊飯開始用操作部を操作すると、電源がオンして加熱手段41のカーボンヒータ42のカーボン繊維部44に電流が流れる。
【００４８】
すると、カーボンヒータ42のカーボン繊維部44が瞬時に所定温度（例えばフィラメント温度：約１１００℃）に達するとともに、このカーボン繊維部44から赤外線（主として中赤外線および遠赤外線）が上方および下方に向かって多く放射され、その結果、炊飯釜２が加熱される。
【００４９】
このとき、カーボン繊維部44の上面から上方へ放射された赤外線は、そのまま直接的に炊飯釜２の底板部５に当たるが、カーボン繊維部44の下面から下方へ放射された赤外線は、反射体51（主として左右１対の反射部材52）にて反射された後、炊飯釜２の底板部５に当たる。つまり、カーボンヒータ42からの直接的な赤外線と反射体51からの間接的な赤外線とによって、炊飯釜２の底板部５の全体が均一に加熱される。
【００５０】
特に、反射体51の左右１対の反射部材52が山型部80を有するため、カーボンヒータ42から下方へ放射された赤外線の反射する向きが変えられて、炊飯釜２の底板部５の中央部分のみが集中的に加熱されることが防止される。
【００５１】
つまり、図７に示すように、山型部80がない場合には、炊飯釜２の底板部５のうちカーボンヒータ42の長手方向中央部に対応する部分がその他の部分に比べて熱が滞りやすく高温となってしまう。しかし、山型部80がある場合には、その山型部80の両傾斜面81，82によってカーボンヒータ42から下方へ放射された赤外線がそのまま放射された方向に反射されるのではなく斜め上方に向けて分散反射されその赤外線の当たった部分が加熱されるため、カーボンヒータ42の長手方向中央部に対応する部分とその他の部分との温度差が小さくなり、炊飯釜２の底板部５の全体が均一に加熱される。
【００５２】
このように炊飯釜２を用いて炊飯する場合、米をむらなく炊き上げるには、炊飯釜２の底板部５において強く加熱されやすい中央部分と他の部分との温度差をなくして底板部５全体を均一に加熱する必要がある。
【００５３】
また一方、炊飯釜２の４つの側板部７は、これら側板部７の周囲を覆う側方反射面91、後方反射面92および前方反射面93にて反射された赤外線によって加熱される。
【００５４】
こうしてカーボンヒータ42にて炊飯釜２が加熱されて炊飯が完了し、所定時間蒸らした後、作業者は、扉体12を閉状態から開状態に切り換えて装置本体11の前面開口部４を開口させてから、炊飯釜２を加熱室３内から取り出す。
【００５５】
そして、このような加熱調理装置１によれば、炊飯釜２の底板部５の全体が均一に加熱されるようにカーボンヒータ42から下方に放射された赤外線を炊飯釜２の底板部５に向けて反射する反射体51を備えるため、炊飯釜２を適切に加熱でき、効率的に炊飯を行うことができる。
【００５６】
また、反射体51は平面視で棒状のカーボンヒータ42と直交するように位置する長手状で断面逆Ｖ字状の山型部80を有し、この山型部80が一方側傾斜面81および他方側傾斜面82にて構成されているため、炊飯釜２をより適切に加熱でき、より効率的に炊飯を行うことができる。
【００５７】
さらに、反射体51は炊飯釜２から出た汁を受ける汁受け皿を兼ねた反射部材52を有するため、この反射部材52にて赤外線を反射できるばかりでなく、炊飯釜２から吹き出た汁つまり吹きこぼれた汁を受けることができる。
【００５８】
また、反射部材52を装置本体11に対して着脱自在としている汁受け皿に形成していることから、特に山型部80の反射面および傾斜板部75の反射面の汚れを容易に除去することができる。
【００５９】
また、カーボンヒータ42自体が熱しやすくて冷めやすいことから、加熱室３内に配置された加熱手段41の余熱による悪影響を受けにくく、例えば蒸らし工程では、電源のオンオフで加熱室３の温度調整が可能であり、加熱室３内の余熱で蒸らし過ぎるという不具合を防止できる。
【００６０】
なお、反射体51は、反射部材52とセンサ支持部材53を有するものには限定されず、例えばセンサ支持部材53を有さず、１つの反射部材のみからなるもの等でもよい。
【００６１】
また、山型部80は、断面逆Ｖ字状のものには限定されず、例えば断面逆Ｕ字状や断面半円状等のものでもよく、１本には限定されず、複数本でもよい。
【００６２】
さらに、例えば反射部材52では、平坦部78，79と一体形成されている山型部80や傾斜板部75を別々に形成して、山型部80についてはカーボンヒータ42に接近させて、そのカーボンヒータ42から下方に放射される赤外線が散乱する前にその山型部80で分散反射させるようにしてもよい。
【００６３】
さらに、例えば山型部80およびカーボンヒータ42間の距離が調整可能な構成でもよく、また山型部80の傾斜面81，82の傾斜角度が調整可能な構成等でもよい。なお、例えば山型部80およびカーボンヒータ42間の距離と、カーボンヒータ42および底板部５間の距離とを同程度にしてもよい。
【００６４】
また、装置本体11が複数、例えば上下３段の加熱室３を有し、この各加熱室３ごとに加熱手段41および反射体51等が設けられた構成等でもよい。
【００６５】
さらに、加熱調理装置１は、バッチ式の炊飯装置には限定されず、例えば炊飯釜２を搬送手段で搬送しながら炊飯を行う連続式の炊飯装置でもよい。
【００６６】
また、例えば炊飯以外の加熱調理をするものでもよく、この場合には炊飯釜以外の被加熱容器を用いる。
【００６７】
さらに、例えばカーボンヒータ42のガラス管部43を保護用ガラス管で覆うようにしてもよい。
【００６８】
また、例えば炊飯釜２の底板部５とカーボンヒータ42との間に保護用網等のカバー部材を配設してもよい。
【００６９】
さらに、例えばカーボンヒータ42の取付部45を装置本体11のヒータ被取付部に緩衝部材を介して取り付けてもよい。
【００７０】
また、例えば被加熱容器の底板部の温度を精度よく検知できるように、温度センサ54を筒状部材で覆い、これら温度センサ54と筒状部材との間に空気断熱層を設けるようにしてもよい。
【符号の説明】
【００７１】
１    加熱調理装置
２    被加熱容器である炊飯釜
５    底板部
41    加熱手段
42    カーボンヒータ
43    ガラス管部
44    カーボン繊維部
51    反射体
52    反射部材
78，79    平坦部
80    山型部
81    一方側傾斜面
82    他方側傾斜面
91    側方反射面（反射面）
92    後方反射面（反射面）
93    前方反射面（反射面）
【図１】
0005683248.tif 000002
【図２】
0005683248.tif 000003
【図３】
0005683248.tif 000004
【図４】
0005683248.tif 000005
【図５】
0005683248.tif 000006
【図６】
0005683248.tif 000007
【図７】
0005683248.tif 000008